(57)【特許請求の範囲】
【請求項１】
供給されたコイン類が上面に載るようにし、且つ手動もしくは駆動手段により回転する１つの回転盤と、
該回転盤の外周からのコイン類の１つの取り入れ口を有して回転盤の外周に沿って配置されたほぼ円弧状のコイン類搬送経路と、
コイン類搬送経路中に穿設され、搬送上流から搬送下流に行くに従って、直径の小さいコイン類から直径の大きいコイン類までを順次選別落下可能とする複数の選別孔と、
前記各選別孔の下方に、選別されたコイン類を回収して収納するための、着脱可能な回収収納手段と、
前記回転盤の外周上方に配置されて当該回転盤の回転に同期して回転し、前記コイン類搬送経路面に向かってコイン類を押圧しながら搬送する平面視円環状の搬送ベルトと、
コイン類の前記取り入れ口と前記搬送方向の最も上流側の選別孔との間のコイン類搬送経路中に配置されてコイン類の通過数及び直径を判別するためのコイン類判別手段と、
前記コイン類判別手段による計測結果を演算する制御手段と、
前記通過したコイン類の種類ごとの数量及び全数量等の計数結果を表示する表示部とを備えたコイン類の計数選別装置において、
前記回転盤上の全ての金種の前記通過するコイン類についての総合計や前記通過する金種毎の枚数または金額を計数する通常計数モードと、予め設定するコイン類の通過数または金額の計数設定値を変更可能で、且つ該計数設定値に到達すると前記選別孔へのコイン類の搬送を一時的に中断するバッチ処理モードとに切り替えるスイッチ手段を備え、
前記制御手段は、前記スイッチ手段の切替えに応じて、前記通常計数モードまたはバッチ処理モードを実行する一方、
前記回収収納手段は、前記各選別孔箇所毎の下方に配置された上面開放状の取付け箱と、この取付け箱の底板に下向きに連結した支持台と、前記取付け箱に配置され、前記選別孔と前記支持台上に着脱可能に支持された収納筒の上端とに連通する滑り台とにより構成され、前記収納筒は前記予め設定された計数設定値のコイン類を収納するように構成されていることを特徴とするコイン類の計数選別装置。
【請求項２】
前記回転盤をモータにより回転駆動させると共に、前記回転盤と、前記搬送ベルトとの間に動力伝達機構を配置し、前記制御手段は、前記バッチ処理モードにおいて、前記コイン類判別手段がコイン類の通過により計数設定値に到達したと検知したのちコイン類の所定距離移動後、前記回転盤及び搬送ベルトの回転を停止すべく、前記モータを停止させるように制御することを特徴とする請求項１に記載のコイン類の計数選別装置。
【請求項３】
前記バッチ処理モードにおいては、複数種類のコイン類について、計数設定値が等しくなるように予め設定することを特徴とする請求項１または請求項２に記載のコイン類の計数選別装置。
【請求項４】
下ケースに回転盤及びコイン類搬送経路を備え、前記下ケースに対して開閉可能な上ケースには、前記搬送ベルトが取付けられた回転輪を、回転自在に装着し、前記回転輪の半径内側に回転盤へのコイン類投入口を形成し、前記回転輪には、下ケース側に配置した前記動力伝達機構にて回転駆動する動力伝達部を備え、さらに、前記下ケースに対して前記取付け箱を着脱可能に装着したことを特徴とする請求項１乃至請求項３のいずれかに記載のコイン類の計数選別装置。
【発明の詳細な説明】
発明の属する技術分野
本発明は、通貨としての硬貨や各種ゲーム機器に使用するコイン型メダル等のコイン類の種類（例えば金種）を混合して供給すると、その種類（金種）毎に選別可能で、且つ前記選別したコイン類の総数や種類（例えば金種）毎の数（枚数）を計数する通常計数モードと、予め設定された枚数または金額の計数設定値になると選別作業を一旦停止できるバッチ処理モードとを備えて、この両モードを切替えて実行できるコイン類の計数選別装置の構成に関するものである。
背景技術
この種の硬貨の計数選別装置として、例えば、米国特許第５９９２６０２号公報では、金種が異なる混合された硬貨を供給する回転盤と、硬貨の直径の違いを選別孔にて選別する円周状の選別通路とそれに対峙して硬貨を押えて搬送する上面の弾性のフィンガーを備えた第２選別盤とを隣接させて配置し、前記選別通路には、硬貨の直径に応じて搬送下流側のものほど大きくなる複数の選別孔が穿設されており、選別通路おける外周壁面（ガイド部材）に硬貨の外周面を摺接させながら給送して選別する構成が示せされており、前記選別通路の搬送上流側には、インダクションコイルからなり、硬貨の材質にて正規（有効）の硬貨か否かを検知するセンサを設け、その下流側の前記外周壁面には片面にノッチ付きの丸棒が軸線回りに回動可能に設けられ、非正規（無効）の硬貨であると判別されたときには、前記丸棒の円周部分が選別通路の内径方向に向かうように回動し、この丸棒の外周凸曲面に衝突した非正規（無効）の硬貨は、前記選別孔より上流側に穿設された落とし孔方向に強制移動されて、排除できる構成が開示されている。
他方、特表平９−５１２９２７号公報（国際公開番号ＷＯ９５／２３３８７）に開示されている構成は、駆動モータにより回転し、その上方の供給部から供給した多金種混合硬貨を載置する回転盤と、この回転盤の上側にて対峙する静止した選別ヘッドとを有し、選別ヘッドの下面には、種々の金種の硬貨を前記回転盤の外周縁に沿って設けられた種々の出口位置に向けて案内するため複数の出口チャネルが形成されている。そして、分路機構が前記１乃至複数の出口チャネルに配置され、または、１あるいはそれ以上の前記出口チャネルに隣接して前記回転盤の外周縁の外側に配置され、有効な硬貨と無効な硬貨とを識別する目的または１つの収納部に予め定められた数の硬貨を集める目的で前記分路機構を使用して硬貨を２あるいはそれ以上の収納部に分ける構成が開示されている。
発明が解決しようとする課題
しかしながら、前記米国特許に開示された構成では、回転盤の外周または出口チャネルに分路機構が設けられたものであるため、装置として大型になるという問題があった。また、予め定められた枚数の硬貨を収納部に収納した後の、後続する硬貨は、一旦別の収納部に排除されるから、これらの硬貨を再度供給部に戻す手間が掛かり迅速なバッチ処理（予め定められた枚数の硬貨を収納部に収納する処理）を実行できないという問題もあった。
前記米国特許第５９９２６０２号公報におけるインダクションコイルによる検出値のしきい値を大小変更調節可能とし、バッチ処理したい金種の硬貨のみ通過させ、その他の金種の硬貨は前記落とし孔に導いて排除することを考えられるが、このように構成したとしても、別の金種の硬貨をバッチ処理するには、前記排除したものを再度供給部に戻すという作業を必要とし、手間が掛かるのであった。
また、通常の計数選別作業を実行しながら、予め設定した特定の金種のコイン類についてのみ、バッチ処理する装置も従来は無かった。
本発明は、前記従来の技術的問題を解決し、通常の計数選別作業と、バッチ処理作業とが切替え可能であり、且つコンパクトで作業も簡単にできるコイン類の計数選別装置を提供することを目的とするものである。
発明の開示
本発明の第１の局面は、供給されたコイン類が上面に載るようにし、且つ手動もしくは駆動手段により回転する１つの回転盤と、該回転盤の外周からのコイン類の１つの取り入れ口を有して回転盤の外周に沿って配置されたほぼ円弧状のコイン類搬送経路と、コイン類搬送経路中に穿設され、搬送上流から搬送下流に行くに従って、直径の小さいコイン類から直径の大きいコイン類までを順次選別落下可能とする複数の選別孔と、前記各選別孔の下方に、選別されたコイン類を回収して収納するための、着脱可能な回収収納手段と、前記回転盤の外周上方に配置されて当該回転盤の回転に同期して回転し、前記コイン類搬送経路面に向かってコイン類を押圧しながら搬送する平面視円環状の搬送ベルトと、コイン類の前記取り入れ口と前記搬送方向の最も上流側の選別孔との間のコイン類搬送経路中に配置されてコイン類の通過数及び直径を判別するためのコイン類判別手段と、前記コイン類判別手段による計測結果を演算する制御手段と、前記通過したコイン類の種類ごとの数量及び全数量等の計数結果を表示する表示部とを備えたコイン類の計数選別装置において、前記回転盤上の全ての金種の前記通過するコイン類についての総合計や前記通過する金種毎の枚数または金額を計数する通常計数モードと、予め設定するコイン類の通過数または金額の計数設定値を変更可能で、且つ該計数設定値に到達すると前記選別孔へのコイン類の搬送を一時的に中断するバッチ処理モードとに切り替えるスイッチ手段を備え、前記制御手段は、前記スイッチ手段の切替えに応じて、前記通常計数モードまたはバッチ処理モードを実行する一方、前記回収収納手段は、前記各選別孔箇所毎の下方に配置された上面開放状の取付け箱と、この取付け箱の底板に下向きに連結した支持台と、前記取付け箱に配置され、前記選別孔と前記支持台上に着脱可能に支持された収納筒の上端とに連通する滑り台とにより構成され、前記収納筒は前記予め設定された計数設定値のコイン類を収納するように構成されているものである。
このように、本発明によれば、供給される多種類の混合コイン類が載るただ一つの回転盤の外周側に、取り入れ口を設け、ここから放出されたコイン類を搬送すべきコイン類搬送経路が円弧状に配置されていることと、その円弧部の上面にて平面状に回転する搬送ベルトが配置とにより、コイン類計数選別装置を従来のものに比べて平面視でも、高さ方向でも小型化できるという顕著な効果を奏する。また、前記回転盤及び搬送ベルトは１つで済むからその伝動機構も簡単になるという効果も奏する。
そして、通常計数モードにおける動作及び構成に加えて、バッチ処理モードにおいて、円弧状のコイン類搬送経路の上面に対峙して配置された円環状の搬送ベルトへの動力伝達を一時的に中断させるものであるから、従来のバッチ処理のための構成に比べて必要な部品点数が少なく、且つコイン類搬送経路より半径外側に余分の部品が必要ないので、コンパクトなコイン類の計数選別装置にすることができるという顕著な効果を奏する。
さらに、バッチ処理モードを実行すれば、予め設定された計数設定値に到達すると、それ以上のコイン類の収納回収手段への収納が阻止できるから、複数金種のコイン類を所定計数設定値毎に取り扱う作業が至極容易になるという効果も奏する。
さらにまた、前記回収収納手段は、前記各選別孔箇所毎の下方に配置された上面開放状の取付け箱と、この取付け箱の底板に下向きに連結した支持台と、前記取付け箱に配置され、前記選別孔と前記支持台上に着脱可能に支持された収納筒の上端とに連通する滑り台とにより構成され、前記収納筒は前記予め設定された計数設定値のコイン類を収納するように構成されているものであるから、収納筒の交換作業が容易になり、且つ金種のコイン類を所定の大きさの収納筒に収納する処理を迅速にできるという効果を奏する。
本発明の第２の局面は、前記回転盤をモータにより回転駆動させると共に、前記回転盤と、前記搬送ベルトとの間に動力伝達機構を配置し、前記制御手段は、前記バッチ処理モードにおいて、前記コイン類判別手段がコイン類の通過により計数設定値に到達したと検知したのちコイン類の所定距離移動後、前記回転盤及び搬送ベルトの回転を停止すべく、前記モータを停止させるように制御するものである。
このように構成すれば、モータの駆動及び停止という簡単な制御で、バッチ処理を実行できるから制御が至極簡単となるという効果を奏する。
本発明の第３の局面は、前記各コイン類の計数選別装置において、前記バッチ処理モードにおいては、複数種類のコイン類について、計数設定値が等しくなるように予め設定したものであるから、バッチ処理モータにおける制御が一層簡単になり、且つ全ての金種のコイン類を所定の大きさの収納回収手段に収納する処理を迅速にできるという効果を奏する。
本発明の第４の局面は、前記各コイン類の計数選別装置において、下ケースに回転盤及びコイン類搬送経路を備え、前記下ケースに対して開閉可能な上ケースには、前記搬送ベルトが取付けられた回転輪を、回転自在に装着し、前記回転輪の半径内側に回転盤へのコイン類投入口を形成し、前記回転輪には、下ケース側に配置した前記動力伝動機構にて回転駆動する動力伝達部を備えたものであるから、上ケースを開くことにより、回転輪と共に搬送ベルトをコイン類搬送経路上から大きく引き離すことが簡単にできて、コイン類搬送経路中に異物が嵌まり込んだ場合の除去作業が至極簡単になると共に、下ケースに対して上ケースを閉じるだけで、回転盤から回転輪への動力伝達も可能となるという効果を奏する。
【図面の簡単な説明】
図１は本発明に係るコイン類の計数選別装置の全体斜視図である。
図２はコイン類の計数選別装置の後部部分斜視図である。
図３は上ケースの平面図である。
図４は図３のIV−IV線矢視拡大一部切欠き断面図である。
図５は下ケースの平面図である。
図６は上仕切り板及び収納部の平面図である。
図７は図１のVII −VII 線矢視拡大一部切欠き側断面図である。
図８は図５の VIII −VIII線矢視拡大一部切欠き側断面図である。
図９は搬送ベルトの側断面図である。
図１０（ａ）は回転輪の一部平面図、図１０（ｂ）は図１０（ａ）のXb−Xb線矢視拡大断面図、図１０（ｃ）は図１０（ａ）のXc−Xc線矢視拡大断面図である。
図１１は取り入れ口及びコイン類判別手段の箇所の平面図である。
図１２は図１１のXII −XII 線矢視拡大断面図である。
図１３は図１２のXIII−XIII線矢視断面図である。
図１４は検知孔の部分拡大平面図である。
図１５は収納部の一部切欠き正面図である。
図１６は収納部における取付け箱体及び滑り台の斜視図である。
図１７は収納部における収納筒と支持台と中継筒の斜視図である。
図１８は回転盤及び搬送ベルトを電動モータにより駆動する実施例の要部断面図である。
図１９は操作部としての表示部やスイッチ類の配置部を示す図である。
図２０は制御装置のブロック図である。
発明の実施の形態
本発明は、各種の変形例及び代替例にて実施可能であるが、図面には一例としてその特別な実施形態が示してあり、以下、本発明を具体化した実施形態について図面を参照しながら説明する。
しかしながら、これは本発明を特別の実施形態に限定することを意図するものではなく、本発明は特許請求の範囲に記載された本発明の精神及び範囲に属する全ての変形例及び代替例を包含するものであると理解すべきである。
図１〜７に示すごとく、本発明に係るコイン類計数判別装置1 における合成樹脂製の下ケース２と上ケース３とは、後端部の蝶番４の箇所にて開閉可能に連結されている。なお、下ケース２に対して上ケース３を着脱可能に装着しても良い。そして、下ケース２は図１に示すごとく複数本の支柱２８ａと円盤状の台２８ｂとからなるスタンド２８にて支持され、下ケース２の外周に対して着脱可能な後述する回収収納手段としての収納部１９の出し入れに際して邪魔にならないように構成されている。
下ケース２の後面側には図２に示すように、乾電池等の携帯用電源を収納するための電池ボックスのための蓋５が開閉可能に装着され、また、商用のＡＣ電源から所定の直流電源に変換するＡＣアダプタの出力部を接続するコネクタ６を備える。上ケース３の上面後部には、後述するコイン類判別手段により検知された結果によりコイン類１１の金種ごとの枚数、金額及び、計数されたコイン類全体の枚数及び金額等を表示するための液晶等の表示部７と表示切替スイッチ８ａ、電源スイッチ８ｂ、スタート／ストップスイッチ８ｃ、バッチ処理時の計数設定値の増減設定スイッチ８ｄ，８ｅ、クリアスイッチ８ｆ等のスイッチ部９を備える。また、上ケース３のほぼ中央部位には、後述する回転盤１０の上面に対してコイン類１１を供給するための上下に貫通された、回転盤１０の直径とほぼ等しい直径のコイン類投入口１２が形成されている。
本実施形態では、計数し、選別すべきコイン類１１は、ＥＣ通貨同盟によるユーロ硬貨（単位：ユーロ）であって、直径の小さい順に列挙すると、0.01ユーロ( 直径:16.25mm) 、0.02ユーロ( 直径:18.75mm) 、0.05ユーロ( 直径:21.25mm) 、0.10ユーロ( 直径:19.75mm) 、0.20ユーロ( 直径:22.25mm) 、0.50ユーロ( 直径:24.25mm) 、１ユーロ( 直径:23.25mm) 、２ユーロ( 直径:25.75mm) の８金種である。ちなみに、日本国の硬貨の場合は、直径の小さい順に列挙すると、１円、５０円、５円、１００円、１０円、５００円の６金種となる。コイン類１１はゲーム機に使用する円板状の金属製のメダルであっても良い。
本発明のコイン類の計数選別装置１は、上面に多種類の金種の（異なる直径の）コイン類１１を混合したものが載るようにし、且つ手動もしくは駆動手段により回転する回転盤１０と、該回転盤１０の外周からのコイン類の取り入れ口２４を有して回転盤１０の外周に沿って配置されたほぼ円弧状のコイン類搬送経路２３と、コイン類搬送経路２３中に穿設され、搬送上流から搬送下流に行くに従って、直径の小さいコイン類１１から直径の大きいコイン類１１までを順次選別落下可能とする複数の選別孔２５と、前記回転盤１０の外周上方に配置されて当該回転盤の回転に同期して回転し、前記コイン類搬送経路面２３に向かってコイン類１１を押圧しながら搬送する搬送ベルト３０と、コイン類の取り入れ口２４と前記搬送方向の最も上流側の選別孔２５との間のコイン類搬送経路２３中に配置されてコイン類の通過数及び直径を判別するためのコイン類判別手段３１と、前記コイン類判別手段３１による計測結果演算したり、後述するバッチ処理モード時の制御を実行するための制御手段としてのマイクロコンピュータ式等の電子式の制御装置６５とを備え、該制御装置６５にて計測された結果、即ち、前記通過したコイン類１１の種類（金種）ごとの数量及び全数量等の計数結果等を前記表示部７にて表示するものである。
図１、図５、図７及び図８に示す本実施形態の回転盤１０は手動により駆動するものであって、回転盤１０の表面（上面）中央部から上向きに突出したボス部１０ａには支軸１４を立設し、この支軸１４の下部は、下ケース２における上面を仕切る上仕切り板１３の中央部筒体１３ａに設けられた軸受１５ａ，１５ｂに回転自在に軸支され、また、回転盤１０の下面外周寄り部位を、下ケース２における上仕切り板１３の段部に配置された複数箇所の支持コロ１６により水平回転可能に支持している。前記支軸１４の上端には、ハンドル１７をピンを介して起伏回動可能に連結されている。ハンドル１７の握り部１７ａを上向きにした状態では（図１及び図８の状態参照）、オペレータが手で回すことができ、使用しないときには、握り部１７ａを下向きに折り畳んで、装置全体の高さを低くできるようにしている。
前記下ケース２の上仕切り板１３には、平面視で略矩形状の大きい通過孔１８を、円周に沿って一定間隔にて（実施形態では８箇所を例示）穿設し、その下方に落下して来るコイン類１１を回収して収納するための収納部１９を着脱可能に配置する。この収納部１９は、図１、図７、図１５〜図１７に示すように、下ケース２の外周の空所２ａに対して着脱自在に配置される合成樹脂製等の平面視略三角形状の取付け箱部２０と、該取付け箱部２０内に配置する滑り台２１と、該滑り台２１の下端の通孔筒２１ａの下端に連接する中継筒７５と、前記取付け箱部２０の底板２０ａに下向きに連結した支持台７４とから構成されており、前記滑り台２１の下端の支持板２１ｂは取付け箱部２０の底板２０ａにネジ７６にて固定されている（図７及び図１６参照）。前記支持台７４の上端板７４ａから上向きに突出するボス７７を底板２０ａから下向きに突設した支持筒７８に嵌め入れた状態でネジ７９止め固定する。
また、取付け箱部２０の中央側に穿設した係止孔８０に対しては、前記下ケース２もしくは上仕切り板１３の中央部筒体１３ａから放射状に突出する弾性的な係合鉤片２２が係合して（図１７参照）、取付け箱部２０が不用意に下ケース２から飛び出さないように構成されている。
前記支持台７４における上端板７４ａの中央には、平面視円弧状の切欠き溝８１を介して一対の円弧状の抱持爪８２が形成されており、この一対の抱持爪８２、８２にて前記中継筒７５の外周を弾性的に抱持する。中継筒７５に収納筒７３の上端部を嵌め入れた状態で、該収納筒７３の下端を前記支持台７４の下端板７４ｂにて支持する。収納筒７３はコイン類１１を金種毎に一定枚数例えば５０枚ずつ収納できるもので、合成樹脂製または紙製で底付きの筒体である。なお、紙製の収納筒７３の場合、前記滑り台２１における通孔筒２１ａの上端側から下に落とし込んで、中継筒７５に支持されるように構成しても良い。前記収納筒７３の少なくとも内径寸法は、従って外径寸法も同様に、コイン類１１の金種毎の直径に合わせて形成されているが、取付け箱部２０、滑り台２１及び通孔筒２１ａは前記金種に拘らず共通（同一）寸法にて形成し、その代わり中継筒７５の下端側の内径寸法を金種毎のコイン類１１の直径に合致したものを準備することにより、その対応する直径の収納筒７３に所定の金種のコイン類１１をきっちりと積層させることができる。
前記上仕切り板１３の上面には、前記回転盤１０の外周からコイン類１１が乗り移る取り入れ口２４（図５参照）を有して、回転盤１０の外周に沿って配置されるほぼ円弧状のコイン類搬送経路２３と、該コイン類搬送経路２３中に穿設され、搬送上流から搬送下流に行くに従って、直径の小さいコイン類１１から直径の大きいコイン類までを順次選別落下可能とする複数（実施形態ではユーロ硬貨の８金種を選別するための８箇所を例示する）の選別孔２５とを設ける。即ち、搬送の最上流側の選別孔２５の幅寸法が最も小さく、搬送最下流側に配置する選別孔２５の幅寸法が最も大きくなる。
この実施形態としては、コイン類搬送経路２３の底板を構成するための耐摩耗性を有する金属板等の耐摩板２６に平面視略矩形状の選別孔２５を穿設し、前記上仕切り板１３の上面に突出する平面視円弧状のリブ２７は、コイン類搬送経路２３の外周側壁を構成し、前記耐摩板２６の上面に、前記回転盤１０の外周より外側にてカシメ止めあるいはビス止めした平面視にて略円弧状の基準ガイド板２９の外側縁２９ａは、コイン類搬送経路２３の内周側壁を構成するものである。
そして、基準ガイド板２９の厚さは、選別されるべきコイン類１１の最小厚さより若干薄く形成され、実施形態では厚さ１mmとする。基準ガイド板２９はその外側縁２９ａ（コイン類搬送経路２３の内周側壁に相当する）は、前記取り入れ口２４側で回転盤１０の外周縁に近く、搬送下流に行くに従って回転盤１０の外周縁から離間する（遠ざかる）ように形成されている。
前記各選別孔２５の内側辺部２５ａ及び外側辺部２５ｂは、前記基準ガイド板２９の外側縁２９ａと平行状であり、基準ガイド板２９の外側縁２９ａから前記外側辺部２５ｂまでの距離が、その箇所［但し、最終位置（搬送最下流）のものを除く］で選別されるコイン類１１の直径に等しくなるようにし、且つ基準ガイド板２９の外側縁２９ａから前記内側辺部２５ａまでの距離は、選別及び通過するコイン類１１の一側縁が外側縁２９ａに摺接した状態で載置されるように略１mm程度に設定されている。そして、搬送下流側のもの（選別孔２５）程、基準ガイド板２９の外側縁２９ａから前記外側辺部２５ｂまでの距離を大きく設定する。例えば、搬送方向の最も上流側の選別孔２５では、基準ガイド板２９の外側縁２９ａから前記外側辺部２５ｂまでの距離が、最も直径の小さい0.01ユーロ硬貨の直径より若干大きく且つそれより直径の大きい他のユーロ硬貨の直径より小さく設定し、基準ガイド板２９の外側縁２９ａに摺接しながら搬送される硬貨（コイン類１１）のうち、0.01ユーロ硬貨のみが前記最も上流側の選別孔２５の前記外側辺部２５ｂ内に落ち込み、それより直径の大きい硬貨（コイン類１１）は選別孔２５上を通過するようになっている。
このようにして、搬送方向の最上流側の選別孔２５から最下流側の選別孔２５まで順に0.01ユーロ硬貨、0.02ユーロ硬貨、0.10ユーロ硬貨、0.05ユーロ硬貨、0.20ユーロ硬貨、１ユーロ硬貨、0.50ユーロ硬貨、２ユーロ硬貨の８金種がそれぞれの選別孔２５に落ち込んで、それぞれの選別箇所の収納部１９にて同一金種のコイン類を集めるように選別できるのである。
なお、最終位置（搬送最下流）の選別孔２５より搬送下流側にコイン類１１を搬送させないようにするため、最も大きい直径のコイン類１１等が最終位置（搬送最下流）の選別孔２５の箇所にて落下できるものであり、且つ収納部１９内に収納させるものである。
前記上ケース３の下面側には、回転盤１０の外周上方に配置された、平面視リング状（環状）の搬送ベルト３０を回転自在に設け、この搬送ベルト３０は前記回転盤１０と同期して回転するものであり、且つ搬送ベルト３０の下面の後述する鰭体３７にてコイン類搬送経路２３としての耐摩板２６上面にコイン類１１を押しつけながら、搬送下流に向かって選別すべきコイン類１１を搬送させる。その実施形態としては、図３〜図５に示すように、合成樹脂製の回転輪３３の内周側には、複数箇所（実施形態では６箇所）の水平ベアリング３６が取付けられており、各水平ベアリング３６が、上ケース３におけるコイン類投入口１２の下部を構成する合成樹脂製の筒体３４の外面に凹み形成されたリング状のレール部３５に対して摺接し、回転輪３３は脱落不能且つ回転自在に支持されている。
リング状（無端帯状）の搬送ベルト３０は、その上端のリング状の嵌合溝部３０ａが前記回転輪３３の下面のリング状の係合凸部３３ａに弾性的に嵌合されて脱落不能となっている（図４及び図１０（ａ）参照）。そして、搬送ベルト３０の下面には、その円周方向に沿って一定間隔にて多数の弾性的な鰭体３７が下向きに突出形成されている。また、各鰭体３７は図９に示すように、その下端に行くに従って、コイン類の搬送上流側に向かうように下向き後傾している。図９では、時計方向に回転させる場合の搬送ベルト３０を示し、図９の左半分は、側面視で搬送ベルト３０の外周側を見た図であり、図９の右半分は側面視で搬送ベルト３０の内周側を見た図である。
さらに、コイン類搬送経路２３（耐摩板２６）上面にコイン類１１が存在しない場合には、各鰭体３７の下端面は耐摩板２６に極めて接近しているが摺接しないし、基準ガイド板２９にも摺接しない。他方、コイン類搬送経路２３（耐摩板２６）上面にコイン類１１が存在する場合には、鰭体３７の下端部が弾性的に変形して、耐摩板２６の上面にコイン類１１を押圧しながら搬送下流側に移動させることができるようになっている。
搬送ベルト３０における各鰭体３７のうち半径内側の下端角部は、前記回転盤１０から取り入れ口２４に放出されたコイン類１１が耐摩板２６との間で誘い込まれ易くなるように、アール状もしくは傾斜角状の切欠き部３７ａとなっている。
回転盤１０及び前記搬送ベルト３０を同期させて手動にて回転させる構成は、図８に示す動力伝達機構としての歯車伝動手段及び動力伝達部を介して実行する。即ち、前記回転盤１０の外周のギヤの歯３９に噛み合う第１中間ギヤ４０は上仕切り板１３に回転自在に軸支する。第１中間ギヤ４０に噛み合う第２中間ギヤ４１は、その下方に固定配置したアクチュエータとしての電磁ソレノイド８３における上下進退動する支軸８４に回転のみ自在に装着され、支軸８４にに遊嵌したコイルバネ８５により常時上向き付勢されている。そして、第２中間ギヤ４１に噛み合う第３中間ギヤ４２の支軸４６を上仕切り板１３の上面を覆うカバー体４３上に突出させる。該カバー体４３上の支軸４６にワンウエイクラッチ４４を介して伝動歯車４５を取付けする。この伝動歯車４５に前記回転輪３３の外周に形成されたギヤの歯３８を噛み合わせることにより、回転盤１０と回転輪３３ひいては搬送ベルト３０を同期させて回転駆動させるのであり、前記ギヤ４０から伝動歯車４５までが動力伝達機構（歯車伝動手段）を構成するものであり、回転輪３３の外周の歯３８が動力伝達部を構成する。
そして、後述するバッチ処理モードにおける搬送ベルト３０の一時的な駆動停止（中断）のための構成は、前記した電磁ソレノイド８３のＯＦＦ時には、支軸８４が突出状態であり、前記コイルバネ８５により上向き付勢された第２中間ギヤ４１が、前記第１中間ギヤ４０及び第３中間ギヤ４２と各々噛み合い、回転盤１０側からの回転力を搬送ベルト３０に伝達できる。他方、電磁ソレノイド８３がＯＮのときには、前記支軸８４が後退（下降）状態となり、コイルバネ８５の付勢力に抗して第１中間ギヤ４０が下降し、前記第１中間ギヤ４０及び第３中間ギヤ４２との噛み合いが解除され、搬送ベルト３０に動力伝達されない。
前記第３中間ギヤ４２と一体的に回転する支軸４６には上仕切り板１３より下方においてロータリエンコーダ用の被検出用の歯車状円盤８６を一体的に回転するように固着し、前記上仕切り板１３の下方には、前記歯車状円盤８６の歯車部を挟んでホトインタラプタ８７を配置し、搬送ベルト３０の移動量、ひいては後述のホトセンサ部５２を通過したコイン類１１の移動距離を演算するのに利用される。搬送ベルト３０の移動量の検出のためには、その歯部３８に対峙させて固定した非接触型の近接センサにより実行するようにしても良い。
図５において、ハンドル１７を時計回り方向に回転させて、回転盤１０を矢印Ａ方向（時計回り方向）に回転させると、搬送ベルト３０も同方向に回転する。このときの回転盤１０外周の周速度と搬送ベルト３０の周速度はほぼ等しいか、搬送ベルト３０の周速度を若干低めに設定することが好ましい。搬送ベルト３０の周速度を余り高くすると、当該搬送ベルト３０にて捕捉したコイン類１１に対する遠心力が大きくなって、搬送されるコイン類１１が基準ガイド板２９の外側縁２９ａから離れ易くなり選別誤差が発生し易くなるからである。
なお、前記取り入れ口２４近傍等でコイン類１１が詰まったときには、前記ハンドル１７を反時計回り方向に回転させるが、前記ワンウエイクラッチ４４の働きにより、搬送ベルト３０は停止したままの状態を保持する。
そして、図５に示すように、平面視にて、前記コイン類搬送経路２３の内周側壁を構成する基準ガイド板２９の外側縁２９ａは、コイン類の取り入れ口２４側で回転盤１０の外周に近く、搬送下流側に行くに従って回転盤１０の外周から離間するように滑らかに、凸湾曲形成されており、且つコイン類の取り入れ口２４からコイン類判別手段３１までの間にて、搬送ベルト３０の内周に向かって接近するように基準ガイド板２９を、平面視において、凸湾曲形状に形成するものである。
他方、前記平面視でリング状の搬送ベルト３０は、コイン類搬送経路２３の上方に配置され、コイン類の取り入れ口２４側でコイン類搬送経路２３の外周側壁４７に近く、搬送下流側に行くに従って、前記基準ガイド板２９の外側縁２９ａに近接するように配置されている。
従って、図５において時計回り方向に回転する回転盤１０上のコイン類１１が遠心力にて取り入れ口２４方向に放出されると、同期して時計回り方向に回転する搬送ベルト３０の鰭体３７の内周側の下端にて、前記コイン類１１が捕まり、その搬送ベルト３０の回転につれて、鰭体３７の下端側が搬送上流側に向かって一層傾斜するように、弾性的に変形しながらコイン類１１を耐摩板２６（コイン類搬送経路２３）の上面に対して押圧しつつ連れ回りさせて搬送する。
この搬送されるコイン類１１がコイン類判別手段３１の箇所に到達するまでに、当該コイン類１１の縁が基準ガイド板２９の外側縁２９ａに押しつけられるようにして摺接しながら搬送下流側に移動するので、後述するように検知部位を設定しておけば、コイン類判別手段３１の箇所では、前記外側縁２９ａからの距離にて、コイン類１１の直径を検知することが正確に実行できるのである。
この場合、図示の実施形態では、搬送ベルト３０と回転盤１０とは同心状に配置されているが、回転盤１０に対して搬送ベルト３０を、平面視で、偏芯させて配置しても良い。
他方、コイン類搬送経路２３の外周側壁４７のうち、取り入れ口２４からコイン類判別手段３１が配置されている箇所までの間の導入ガイド壁４７ａ（図５及び図１１参照）と前記基準ガイド板２９の外側縁２９ａとの対峙距離は、コイン類判別手段３１に近づくに従って狭まるように形成することが好ましく、その対峙距離は選別すべきコイン類１１のうちの最大直径に等しいか、若干大きい程度がより好ましい。このように構成すれば、万一、搬送ベルト３０に捕捉された大径のコイン類１１が、当該搬送ベルト１１の外周側にはみ出しても、導入ガイド壁４７ａに沿って案内されたコイン類１１は前記基準ガイド板２９の外側縁２９ａに接近するように誘導され、コイン類１１の直径の検知誤差を無くすることができる。
前記実施形態における鰭体３７は回転輪３３の半径方向に延びる偏平なものであったが、他の態様として、鰭体は、丸棒状や角棒状にしても良いし、回転輪３３の平面視においてリング状であって、半径方向の厚さの薄い鰭体を前記同心状に複数列（２列乃至４列）下向きに突出するように形成しても良い。
また、前記回転輪３３の下面には、前記取り入れ口２４でのコイン類１１を捌くためのゴム製等の補助弾性体４９を下向き突設させる。その第１の実施形態は、図１０（ａ）、図１０（ｂ）、図１０（ｃ）及び図１１に示すごとく、前記搬送ベルト３０の配置位置より内径側であって、基準ガイド板２９における前記取り入れ口２４側の突端部２９ｂよりやや半径外周側を通過するように配置するもので、前記回転輪３３の内周側に取付け孔部５０を上下に貫通するように形成し、該取付け孔部５０の上部側には、下方から差し込んだ棒状の弾性を有するゴム製の補助弾性体４９の上部を抜け不能にする係合突起部５０ａ，５０ｂを備えている。
また、前記補助弾性体４９の下端面は、コイン類１１の厚さより薄い厚さの基準ガイド板２９上面に摺接しないような高さに保持され（図１２参照）、且つ、前記取り入れ口２４側で、基準ガイド板２９における前記突端部２９ｂに衝突して回転盤１０の半径外側方向にも半径内側方向にも移動しないように不動になったコイン類１１の上面を、前記回転輪３３の回転と共に移動する前記補助弾性体４９の下端面にて摺接して、当該コイン類１１をなるべく前記半径外側方向に弾くように捌くものである。実施形態では回転輪３３の直径方向（中心角度略１８０度）の位置に合計２箇所設置している。
コイン類判別手段３１は、前記コイン類搬送経路２３のうち、コイン類の取り入れ口２４から搬送最上流位置の選別孔２５（最小のコイン類１１の選別孔２５の箇所）までの間に配置されている。コイン類判別手段３１は、計数すべきコイン類１１の通過数を検知するための磁気センサ５１と、コイン類１１の直径を検知するための光ファイバーからなる光伝送ケーブル５３を備えたフォトセンサ部５２とを備える。磁気センサ５１ではコイン類１１が銅、黄銅、白銅、アルミ、ニッケル、鋼等の金属製の場合、検知できるものである。磁気センサ５１は基準ガイド板２９の外側縁２９ａに近い位置の下ケースの上仕切り板１３の取付け孔５４に下方から脱落不能に取付けられ、耐摩板２６に穿設された孔５５に臨ませる（図１２参照）。
フォトセンサ部５２における赤外線の発光部５６は、前記耐摩板２６に穿設されたコイン類１１の搬送方向と直角方向に細長い透孔５７の下方にてその透孔５７の長手方向に沿うように略一列状に配置されて上向きに光照射する赤外線の発光ダイオード等の発光素子５８にて構成されている。他方、フォトセンサ部５２における受光部６０は、前記耐摩板２６を挟んで前記透孔５７と対峙するように固定されたセンサ部ケース５９に穿設された複数個（実施形態では７個を例示）の検知孔６１ａ〜６１ｇと、この検知孔６１から離れた位置のセンサ部ケース５９に固定された前記検知孔６１の数に対応する数の受光素子６２ａ〜６２ｇと、その間を連絡するための対応する数の光伝送ケーブル５３とからなる。各光伝送ケーブル５３の一端（入光端）は前記検知孔６１ａ〜６１ｇに差し込んで固定され、各光伝送ケーブル５３の他端（出光端）は前記受光素子６２ａ〜６２ｇの受光部に対峙して穿設された孔６３に差し込んで固定されている。そして、前記センサ部ケース５９の上側をカバー板６４に覆い、前記検知孔６１ａ〜６１ｇ、各光伝送ケーブル５３及び各孔６３に上（外部）からの不必要な光が入らないようにするのである。
磁気センサ５１の箇所を金属製のコイン類１１が通過するとき、パルス状（略矩形状）の検知信号を出す。それとほぼ同時にコイン類１１の直径に応じて前記受光素子６２ａ〜６２ｇの箇所を通過することより、直径判別のためのパルス状（略矩形状）の直径信号を出す。これらの信号は、インターフェイス（図示せず）を介して、マイクロコンピュータ等の電子制御の制御装置６５（図２０参照）であるＣＰＵ６６に入力されて、ＣＰＵ６６にて各金種毎のコイン類１１の通過数及び通過したコイン類１１の総数を演算すると共に、ＲＡＭ（随時読み書き可能メモリ）にてこれらの計測結果（計数した各金種毎のコイン類１１の枚数と小計（金額）、並びに計数したコイン類の総枚数及び総計（総金額））を記憶し、前記表示切替スイッチ８ａの操作にて対応する数値を表示部７に表示させることができる。なお、ＲＯＭ（読み出し専用メモリ）は上記の制御アルゴリズムや、後述のバッチ処理モード、特定金種バッチ処理モードの制御プログラムを記憶させておくものである。制御部６５は下ケース２もしくは上ケース３の適宜箇所に収納する。
前記検知孔６１ａ〜６１ｇの配置位置は、図１４に示すごとく、検知すべきコイン類１１の直径の小さいものから順次検知できるように配置されている。即ち、通過するコイン類１１が磁気センサ５１にて感知（検知）されたときは、最小の直径（＝16.25mm ）である0.01ユーロと判断する。同様にして、磁気センサ５１にて検知し、且つ検知孔６１ａにてコイン類１１の通過を検知すれば、0.02ユーロ( 直径:18.75mm) と判断する。そして、磁気センサ５１にて検知し、且つ検知孔６１ａ及び６１ｂにてコイン類１１の通過を検知すれば、0.10ユーロ( 直径:19.75mm) と判断する。以下同様にして、磁気センサ５１の検知に加えて、検知孔６１ａ、６１ｂ及び６１ｃにより検知した場合は0.05ユーロ( 直径:21.25mm) 、検知孔６１ａ、６１ｂ、６１ｃ及び６１ｄの検知では0.20ユーロ( 直径:22.25mm) 、検知孔６１ａ、６１ｂ、６１ｃ、６１ｄ及び６１ｅの検知では１ユーロ( 直径:23.25mm) 、検知孔６１ａ、６１ｂ、６１ｃ、６１ｄ、６１ｅ及び６１ｆの検知では0.50ユーロ( 直径:24.25mm) 、検知孔６１ａ、６１ｂ、６１ｃ、６１ｄ、６１ｅ、６１ｆ及び６１ｇの検知では２ユーロ( 直径:25.75mm) と判断するのである。
なお、上述のように、直径の違いが1.0mmd乃至1.5mm 程度の段階的なものであって、硬貨のように、各金種毎の直径の製作誤差が微小であるものを判別する場合には、各検知孔６１の直径を小さくすることにより多段階の判別が正確できる。また、その各検知孔６１から離れた箇所に受光素子６２を配置し、その間を光伝送ケーブル５３（実施形態では、直径0.5mm の 1本の光フアィバーからなるが、より小さい直径の光フアィバーの束により構成しても良い）にて信号伝達することにより、受光素子６２自体を超小型にする必要がなく、汎用部品を使用できて製造コストを低減できる。この場合の受光素子６２は光導電素子、ホトダイオードＤ、ホトトランジスタ、ホトサイリスタ等を使用することができる。また、センサ部ケース５９に前記所定数の検知孔６１と受光素子６２とを予め組み込むことにより、製作精度、ひいては検知精度を向上させつつ製造コストを低減させることがてきるという効果を奏する。
他の実施形態として、コイン類の直径を検知するための光センサ（受光素子）として、ライン型撮像素子（ＣＣＤ（直線型画素素子））や、太陽電池等の光電変換素子を使用することもできる。
前記下ケース２の前端から上向きに突出させたロック片７１は、上ケース３の前端の係合孔７２に対して係脱でき、上下ケース２，３を閉じた状態に保持できるものである（図１、図３及び図５参照）。
なお、回転盤１０を動力にて回転駆動する場合には、図１８に示すように、回転盤１０のハンドル１７を除去する一方、回転盤１０の下面側に形成された外周歯車の歯３９に噛合う第１中間歯車４０が固定された支軸９０の下端を下ケース２の下面に固定するブラケット９２に回転可能に軸支し、該支軸９０と一体的に回転する伝動歯車９１は、電動モータ８８のピニオン歯車９３に噛み合わせる。また、電動モータ８８には、その回転数を検知できるロータリエンコーダ８９が内蔵されている。その他の第１中間歯車４０から搬送ベルト３０への伝動機構は手動の場合と略同じであるので同じ符号を付して詳細説明は省略する。なお、ロータリエンコーダ８９を電動モータ８８と一体的に設ける代わりに、手動の場合と同じく第３中間ギヤ４２の支軸４６と一体的に回転する歯車状円盤とホトインタラプタ８７とにより構成しても良い。
次に、本発明にかかる計測モード（通常計数モードとバッチ処理モードと特定金種バッチ処理モード）の切替えと、その各モードにおける計数制御の態様について詳述する。図１９は上述した表示部７及びスイッチ部９の詳細図であり、図２０は制御装置６５の機能ブロック図である。ＣＰＵ６６には、入力インターフェイスを介して入力手段としての電源スイッチ８ｂ、表示切替スイッチ８ａ、スタート／ストップスイッチ８ｃ、バッチ処理時の計数設定値の増設定（＋Ｓ）スイッチ８ｄ、減設定（−Ｓ）スイッチ８ｅ、クリアスイッチ８ｆ、受光素子６２ａ〜６２ｇ、磁気センサ５１及びホトインタラプタ８７、特定金種バッチ処理スイッチ９５が接続されている。また、出力インターフェイスを介してＣＰＵ６６には、出力手段としてのＬＥＤ表示部７、金種の種類（実施例では0.01〜2 ユーロまでの８金種）を示す金種表示部７ａ、発光素子５８ａ〜５８ｇと、手動により回転盤１０を回動するときには、後述するように、前記ホトインタラプタ８７にてタイミングを検知してバッチ処理モード時のコイン類の搬送を一時中断するための作動手段である電磁ソレノイド８３が接続されている。なお、電動モータ８８により回転盤１０を回動するときには、バッチ処理モード時または特定金種バッチ処理モード時における所定のコイン類の搬送を一時中断するときには、ロータリエンコーダ８９によりタイミングを検知して電動モータ８８を停止させるものである。
次にメインのフローを説明すると、まず、スイッチ部９における電源スイッチ８ｂを押下するごとに、ＯＮとＯＦＦとに交互に動作する。電源スイッチ８ｂののみのＯＮでは、通常計数モードとなる。通常計数モードでは、回転盤１０上の混合した金種のコイン類１１の総合計（金額）や金種毎の枚数または金額を計測できるモードである。電源スイッチ８ｂと表示切替スイッチ８ａとを同時に、適宜秒数間（実施例では１秒）押下すると、全ての金種のコイン類について所定の枚数のものが選別孔２５を通過すると、それ以上はコイン類搬送経路２３上でコイン類１１を搬送するのを一時中断する処理であるバッチ処理モードとなる。
なお、電源スイッチ８ｂのＯＮの状態で、特定金種バッチ処理スイッチ９５が押下されると、後述の特定金種バッチ処理モードとなる。
通常計数モードにセットされた最初の段階では、表示部７は零表示である。この状態で、または予め、コイン類投入口１２から計数すべき金種の混合したコイン類１１を入れ、手動の場合は前記ハンドル１７を回して上述のようにして金種毎に収納部１９に入れる。なお、通常計数の場合には、前記滑り台２１等の備えていない平面視三角状の収納箱に回収収納するものとする。そして、全てのコイン類１１が計測された後に、表示切替スイッチ８ａを押下する毎に前記計数された値を金種と枚数とに表示が切り替わるように設定するものである。例えば、金種に設定されると、図１９の上のＬＥＤランプ９０が点灯し、枚数に設定されると、図１９の下のＬＥＤランプ９１が点灯する。そして、＋Ｓスイッチ８ｄを押下する毎に、金種表示部７ａで0.01ユーロ→２ユーロの８箇所のうち１つずつ、及び総合計が順次指定され、その箇所の金額または枚数に対する計数結果が表示部７に表示される。クリアスイッチ８ｆを押下すると、計数結果（記憶値）が初期化される。
バッチ処理モードになると、予め設定するコイン類１１が前記検出部（検知孔部６１及び磁気センサ５１の配置箇所）を通過する通過数（または金額）の計数設定値が初期設定されている。実施例では、枚数であり、全ての金種（実施例では、0.01ユーロ→２ユーロの８金種）について一律に同じ値とし、初期値は５０枚とし、前記表示部７に「５０」と表示される。この計数設定値を変更するには、前記バッチ処理時の計数設定値の増設定（＋Ｓ）スイッチ８ｄを押下するごとに所定値に増大し、減設定（−Ｓ）スイッチ８ｅを押下するごとに所定値に減少する。所定値とは、実施例におて２０、２５、３０、４０、５０、１００、５００、１０００である。ここで、クリアスイッチ８ｆを押下すると、初期値に戻る。
次いで、この状態で、または予め、コイン類投入口１２から計数すべき金種の混合したコイン類１１を入れ、手動の場合は前記ハンドル１７を回して上述のようにして金種毎に、前記検出部（検知孔部６１及び磁気センサ５１の配置箇所）を通過する通過数を計測する。各金種のコイン類１１は所定の選別孔２５の箇所で落下し、収納部１９の滑り台２１で受け止められ、滑り落ちて、通孔筒２１ａ及び中継筒７５を介して収納筒７３に積層状に収納される。
そして、任意の金種のコイン類１１が前記計数設定値に到達したとき、対応する所定のバッチ処理信号がＣＰＵ６６に入力される。このバッチ処理信号をトリガーとして、前記歯車状回転盤８６の歯数を検知するホトインタラプタ８７にて、前記検出部から所定の（前記計数設定値に到達した）金種のコイン類１１が進行する距離を演算する。前記検出部からその金種のコイン類１１が選別される選別孔２５の搬送方向の中央位置（落下位置）までの距離に等しくなると、電磁ソレノイド８３がＯＮし、第２中間ギヤ４１が、図８の二点鎖線に示すように、下降して、第１中間ギヤ４０及び第３中間ギヤ４２との噛み合いが解除される。これにより、計数設定値に到達した金種のコイン類１１は、所定の選別孔２５の箇所で落下し、前記収納筒７３に積層状に収納回収される。例えば、直径が小さい順に0.01ユーロ硬貨と0.10ユーロ硬貨と0.05ユーロ硬貨とが、前記検出部の箇所を通過したとき、前記の順番で計数設定値に到達したとすると、0.01ユーロ硬貨用の選別孔２５が前記検出部に最も近い位置にあるから、0.01ユーロ硬貨が所定の選別孔２５の搬送方向の略中央部に来ると、この硬貨は落下する一方、前記バッチ処理信号に応じて前記電磁ソレノイド８３がＯＮするから、搬送ベルト３０によるコイン類１１の搬送動作が一時中断され、後続する0.10ユーロ硬貨と0.05ユーロ硬貨はコイン類搬送経路２３中で進行が停止される。作業者はハンドル１７を回しても回転盤１０が回転するのみで搬送ベルト３０が停止している状態が認識できるから、前記計数設定値に到達した0.01ユーロ硬貨用の収納筒７３を除去して、空の収納筒７３を中継筒７５の下に再度セットする。
そして、再度スタート・ストップスイッチ８ｃを押下すると、電磁ソレノイド８３はＯＦＦに切り替わり、第２中間ギヤ４１が図８の実線状態に復帰して搬送ベルト３０への動力伝達が可能となる。そこで、ハンドル１７を再度回し、次に0.10ユーロ硬貨が所定の選別孔２５の所定の箇所（落下位置）に来たことをバッチ処理信号にて検知し、電磁ソレノイド８３がＯＮし、前記搬送ベルト３０への動力伝達が中断され、この0.10ユーロ硬貨は所定の収納筒７３に収納されるから、前記と同様に空の収納筒７３と入れ替えるというようにして、全ての金種のコイン類１１を所定の計数設定値毎にバッチ処理できるのである。なお、このようなバッチ処理は、前記検出部を通過するコイン類の直径がその搬送順に大小まちまちであっても処理できることは、上記の説明から容易に理解できるであろう。また、所定量だけ収納する収納筒７３に代えて、通常の三角箱状の箱体の収納部にてバッチ処理された枚数のコイン類１１を受けるようにしても良い。
駆動モータ８８により回転盤１０と搬送ベルト３０とを同期して回転駆動する態様においては、前記バッチ処理信号が検知されたのち、前記所定の選別孔２５間での所定の金種のコイン類１１の進行距離はロータリエンコーダ８９にて検知し、ＣＰＵ６６にて演算し、所定のタイミングにて駆動モータ８８を一時停止させるように制御すれば良いのである。
次に、特定金種バッチ処理モードについて説明する。このモードでは、金種が異なるコイン類１１を混合して回転盤１０に供給し、予め特定した金種のコイン類１１のみをバッチ処理すると共に、その他の金種のコイン類１１については通常の計数・選別作業を実行するものである。バッチ処理すべき１つの金種を特定（設定）する方法は、例えば、前記特定金種バッチ処理モードに切り替えた後、なにも入れて入れていない状態のコイン類計数選別装置１に、バッチ処理したい金種のコイン類１１を１枚だけ供給して、手動または駆動モータ８８により、回転盤１０を回転させて、前記検出部でその金種を判別させ、この信号をＲＡＭ６９に記憶させて、特定金種を特定（決定）するのである。なお、この実施例に代えて、図示しないが、金種特定スイッチを選択的に押下して、１乃至３程度の複数の金種を特定（決定）しても良い。計数設定値を設定、変更する方法、手段は前記バッチ処理モードにおけると同様であるので詳細説明は省略する。
次いで、金種の混合したコイン類１１をコイン類投入口１２から回転盤１０上に供給し、手動または駆動モータ８８により、回転盤１０を回転させて、前記検出部でその金種を判別させながら、コイン類搬送経路２３に沿って搬送し、各選別孔２５の箇所で対応する金種のコイン類１１を選別し、その下方の収納部１９に回収する。前記検出部における金種毎の通過枚数をＣＰＵ６６にて演算し、記憶するのは、通常計数モードの場合と同じである。そして、前記特定金種のコイン類１１については、所定の計数設定値に到達すると、対応する選別孔２５の中央部位までの距離（または対応する時間）だけ搬送ベルト３０によるコイン類１１の搬送を許容し、前記特定金種のコイン類１１が収納部１９に落下した時点で、当該搬送ベルト３０への動力伝達が前述のようにして遮断されるから、前記バッチ処理モード時と同様にして収納筒７３を交換すれば良い。なお、前記特定金種以外のコイン類１１を回収収納する収納部１９は、通常の三角箱状の箱体にすれば良い。このように、特定金種バッチ処理モードでは、多数の金種のコイン類１１について通常の計数選別作業を実行しながら、特定の金種のコイン類１１については予め設定された計数設定値（枚数または金額）のコイン類１１が所定の収納部１９に溜まると、コイン類１１の搬送を一時中断するので、コイン類の管理が一層便利になるのである。
なお、通常計数モード、バッチ処理モード及び特定金種バッチ処理モードのいずれにおいても、スタート・ストップスイッチ８ｃの交互の押下により、電動モータ８８の駆動・停止が交互に実行できる。
なお、前記通常計数モードの実行により、同種類の金種のコイン類を一旦集め、この同種のコイン類１１をバッチ処理モードにて処理することも可能である。
【図１】
0003863490.tif 000002
【図２】
0003863490.tif 000003
【図３】
0003863490.tif 000004
【図４】
0003863490.tif 000005
【図５】
0003863490.tif 000006
【図６】
0003863490.tif 000007
【図７】
0003863490.tif 000008
【図８】
0003863490.tif 000009
【図９】
0003863490.tif 000010
【図１０】
0003863490.tif 000011
【図１１】
0003863490.tif 000012
【図１２】
0003863490.tif 000013
【図１３】
0003863490.tif 000014
【図１４】
0003863490.tif 000015
【図１５】
0003863490.tif 000016
【図１６】
0003863490.tif 000017
【図１７】
0003863490.tif 000018
【図１８】
0003863490.tif 000019
【図１９】
0003863490.tif 000020
【図２０】
0003863490.tif 000021